(57)【要約】【課題】  受信タイミングの変動に適応することが可能な手段を提供する。【解決手段】  無線ネットワーク制御装置７はＤＨＴ５０を備える。ＤＨＴ５０は、ＤＨＴ全体を制御するＤＨＴ制御部５００、無線基地局３〜５からの上りフレームを受信する上りフレーム受信部５０１、受信した上りフレームを転送するタイミングを設定する上り転送制御部５０２、上りフレームを合成する上りフレーム合成部５０３、上りフレームを次ノードに転送する上りフレーム送出部５０４、フレームの受信を制御する上り受信制御部５０５から構成される。ＤＨＴ５０は、移動局１と通信中の無線基地局３〜５からの上りフレームを受信した時点に基づいて、次フレームに対するフレーム受信可能タイミングと次ノードへの転送タイミングを調節する機能を具備している。【選択図】  図２
2006303624.tif 000002
【特許請求の範囲】
【請求項１】
一のノードから送られてくるフレームを受信し他のノードに転送するフレーム送受信装置であって、
前記一のノードから送られてくる前記フレームを受信するフレーム受信手段と、
前記フレーム受信手段の前記フレームの受信を制御する受信制御手段と、
前記フレーム受信手段の受信した前記フレームを前記他のノードに転送するフレーム送出手段と、
を備え、
前記受信制御手段は、
前記フレーム受信手段が前記フレームを受信した時点が予め設定された正常受信区間であれば、前記フレームを前記フレーム送出手段により前記他のノードに転送し、
前記フレーム受信手段が前記フレームを受信した時点が前記正常受信区間以外の異常受信区間であれば、前記フレームを破棄し、
前記フレーム受信手段が前記フレームを受信した時点が前記正常受信区間内に予め設定されたウィンドウシフト動作区間であれば、前記正常受信区間を修正するウィンドウシフト動作を行う、
フレーム送受信装置。
【請求項２】
前記受信制御手段が行う前記ウィンドウシフト動作においては、前記フレーム受信手段が前記フレームを受信した時点が、予め前記正常受信区間内に設定された修正後目標区間に該当するように前記正常受信区間を修正する、
請求項１に記載のフレーム送受信装置。
【請求項３】
前記受信制御手段が行う前記ウィンドウシフト動作においては、
前記フレーム受信手段がフレームを受信した時点が、前記修正後目標区間に該当するように前記正常受信区間を一度に修正する動作と、
予め設定された修正量ずつ前記正常受信区間を修正し、前記フレーム受信手段が前記フレームを受信した時点が前記修正後目標区間に該当するまで前記正常受信区間の修正を繰り返す動作と、
のいずれか一方の動作を選択して行うことが可能な、
請求項２に記載のフレーム送受信装置。
【請求項４】
一のノードから送られてくるフレームを受信し他のノードに転送するフレーム送受信装置であって、
前記一のノードから送られてくる前記フレームを受信するフレーム受信手段と、
前記フレーム受信手段が受信した前記フレームを前記他のノードに転送するフレーム送出手段と、
前記フレーム送出手段のフレームの転送を制御する転送制御手段と、
を備え、
前記転送制御手段は、
前記フレーム受信手段が前記フレームを受信した時点が予め設定された転送時期修正実施区間であれば、前記フレームの転送時期を修正する、
フレーム送受信装置。
【請求項５】
前記転送制御手段が行う前記フレームの転送時期の修正においては、少なくとも、前記フレーム受信手段が前記フレームを受信した時点と予め設定された修正後目標区間との差だけ前記フレームの転送時期を修正する、
請求項４に記載のフレーム送受信装置。
【請求項６】
前記転送制御手段が行う前記フレームの転送時期の修正においては、
少なくとも、前記フレーム受信手段が前記フレームを受信した時点と前記予め設定された修正後目標区間との差だけ一度に前記フレームの転送時期を修正する動作と、
予め設定された修正量ずつ前記フレームの転送時期を修正し、少なくとも当該合計の修正量が前記フレーム受信手段が前記フレームを受信した時点と予め設定された修正後目標区間との差となるまで前記転送時期の修正を繰り返す動作と、
のいずれか一方を選択可能とされている、
請求項５に記載のフレーム送受信装置。
【請求項７】
一のノードから送られてくるフレームを受信し他のノードに転送するフレーム送受信方法であって、
前記フレームを受信した時点が予め設定された正常受信区間であれば、前記フレームを前記他のノードに転送し、
前記フレームを受信した時点が前記正常受信区間以外の異常受信区間であれば、前記フレームを破棄し、
前記フレームを受信した時点が前記正常受信区間内に予め設定されたウィンドウシフト動作区間であれば、前記正常受信区間を修正するウィンドウシフト動作を行う、
フレーム送受信方法。
【請求項８】
前記ウィンドウシフト動作においては、前記フレームを受信した時点が、予め前記正常受信区間内に設定された修正後目標区間に該当するように前記正常受信区間を修正する、
請求項７に記載のフレーム送受信方法。
【請求項９】
前記ウィンドウシフト動作においては、
前記フレームを受信した時点が、前記修正後目標区間に該当するように前記正常受信区間を一度に修正する動作と、
予め設定された修正量ずつ前記正常受信区間を修正し、前記フレームを受信した時点が前記修正後目標区間に該当するまで前記正常受信区間の修正を繰り返す動作と、
のいずれか一方の動作を選択して行う、
請求項８に記載のフレーム送受信方法。
【請求項１０】
一のノードから送られてくるフレームを受信し他のノードに転送するフレーム送受信方法であって、
前記フレームを受信した時点が予め設定された転送時期修正実施区間であれば、前記フレームの転送時期を修正する、
フレーム送受信方法。
【請求項１１】
前記フレームの転送時期の修正においては、少なくとも、前記フレームを受信した時点と予め設定された修正後目標区間との差だけ前記フレームの転送時期を修正する、
請求項１０に記載のフレーム送受信方法。
【請求項１２】
前記フレームの転送時期の修正においては、
少なくとも、前記フレームを受信した時点と前記予め設定された修正後目標区間との差だけ一度に前記フレームの転送時期を修正する動作と、
予め設定された修正量ずつ前記フレームの転送時期を修正し、少なくとも当該合計の修正量が前記フレームを受信した時点と予め設定された修正後目標区間との差となるまで前記転送時期の修正を繰り返す動作と、
のいずれか一方を選択して行う、
請求項１１に記載のフレーム送受信方法。
【発明の詳細な説明】
【技術分野】
【０００１】
本発明は、フレーム送受信装置およびフレーム送受信方法に関する。
【背景技術】
【０００２】
少なくとも１つ以上の交換局、無線ネットワーク制御装置（フレーム送受信装置）、及び複数の無線基地局を含むネットワークと、これらの複数の無線基地局と同時に通信する無線端末とから成る無線通信システムにおいては、通信中に無線基地局と無線ネットワーク制御装置との間の伝送遅延量の変化や、各無線基地局から無線ネットワーク制御装置までの伝送遅延に差が存在する場合がある。
【０００３】
このような場合にも、通信の連続性を保ちつつ異常なタイミングで受信したフレームを転送しないようにするため、無線ネットワーク制御装置は、遅延量の変化や伝送遅延差を吸収するバッファと、受信可能なタイミングを設定した受信ウィンドウを持つ。バッファ及び受信ウィンドウは、一般的に通常の通信において移動機が移動する範囲(予測遅延量)を基準に設定される（特許文献１および２参照）。
【特許文献１】特開２００２−２５２５８６号公報（図２０、２１、２６および２８）
【特許文献２】特開２００３−１０２０４７号公報（図２０、２１、２６および２８）
【発明の開示】
【発明が解決しようとする課題】
【０００４】
上記の技術においては、受信ウィンドウが適切に設定された場合、受信ウィンドウ内に受信されたフレームは受信され転送される。しかし、無線ネットワーク制御装置と無線基地局の動作クロックや、それらの間の伝送遅延が変動することにより、受信タイミングが変動し、設定された受信ウィンドウを外れてフレームが受信された場合、転送することができず通信の連続性を保つことができない。
【０００５】
本発明は、かかる事情に鑑みてなされたものであり、その目的は、受信タイミングの変動に適応することが可能な手段を提供することにある。
【課題を解決するための手段】
【０００６】
本発明は、一のノードから送られてくるフレームを受信し他のノードに転送するフレーム送受信装置であって、一のノードから送られてくるフレームを受信するフレーム受信手段と、フレーム受信手段のフレームの受信を制御する受信制御手段と、フレーム受信手段の受信したフレームを他のノードに転送するフレーム送出手段と、を備え、受信制御手段は、フレーム受信手段がフレームを受信した時点が予め設定された正常受信区間であれば、フレームをフレーム送出手段により他のノードに転送し、フレーム受信手段がフレームを受信した時点が正常受信区間以外の異常受信区間であれば、フレームを破棄し、フレーム受信手段がフレームを受信した時点が正常受信区間内に予め設定されたウィンドウシフト動作区間であれば、正常受信区間を修正するウィンドウシフト動作を行う、ことを特徴とする。
【０００７】
この構成によれば、受信制御手段は、フレーム受信手段がフレームを受信した時点が予め設定された正常受信区間であれば、フレームをフレーム送出手段により他のノードに転送し、フレーム受信手段がフレームを受信した時点が正常受信区間外の異常受信区間であれば、フレームを破棄するので、異常なタイミングで受信したフレームを転送しないようにできる。また、受信制御手段は、フレームを受信した時点が正常受信区間内に予め設定されたウィンドウシフト動作区間であれば、正常受信区間を修正するウィンドウシフト動作を行うので、受信タイミングの変動に適応して受信ウィンドウを修正することができる。
【０００８】
この場合、受信制御手段が行うウィンドウシフト動作においては、フレーム受信手段がフレームを受信した時点が、予め正常受信区間内に設定された修正後目標区間に該当するように正常受信区間を修正することが好適である。
【０００９】
この構成によれば、ウィンドウシフト動作において、フレームを受信した時点が予め正常受信区間内に設定された修正後目標区間に該当するように正常受信区間を修正するので、修正後目標区間において次フレームを受信することが可能になる。
【００１０】
この場合、受信制御手段が行うウィンドウシフト動作においては、フレーム受信手段がフレームを受信した時点が、修正後目標区間に該当するように正常受信区間を一度に修正する動作と、予め設定された修正量ずつ正常受信区間を修正し、フレーム受信手段がフレームを受信した時点が修正後目標区間に該当するまで正常受信区間の修正を繰り返す動作と、のいずれか一方の動作を選択して行うことが可能なことが好適である。
【００１１】
この構成によれば、ウィンドウシフト動作において、正常受信区間を一度に修正する動作と、予め設定された修正量ずつ修正する動作とのいずれか一方を選択可能なので、受信ウィンドウの修正方法を使い分けることができる。
【００１２】
また本発明の別の態様は、一のノードから送られてくるフレームを受信し他のノードに転送するフレーム送受信装置であって、一のノードから送られてくるフレームを受信するフレーム受信手段と、フレーム受信手段が受信したフレームを他のノードに転送するフレーム送出手段と、フレーム送出手段のフレームの転送を制御する転送制御手段と、を備え、転送制御手段は、フレーム受信手段がフレームを受信した時点が予め設定された転送時期修正実施区間であれば、フレームの転送時期を修正する、ことを特徴とする。
【００１３】
この構成によれば、転送制御手段は、フレーム受信手段がフレームを受信した時点が予め設定された転送時期修正実施区間であれば、フレームの転送時期を修正するので、受信タイミングの変動に適応してバッファを修正することができる。
【００１４】
この場合、転送制御手段が行うフレームの転送時期の修正においては、少なくとも、フレーム受信手段がフレームを受信した時点と予め設定された修正後目標区間との差だけフレームの転送時期を修正することが好適である。
【００１５】
この構成によれば、フレームの転送時期の修正において、少なくとも、フレームを受信した時点と予め設定された修正後目標区間との差だけフレームの転送時期を修正するので、受信タイミングの変動量に適応してフレームの転送時期を修正することができる。
【００１６】
この場合、転送制御手段が行うフレームの転送時期の修正においては、少なくとも、フレーム受信手段がフレームを受信した時点と予め設定された修正後目標区間との差だけ一度にフレームの転送時期を修正する動作と、予め設定された修正量ずつフレームの転送時期を修正し、少なくとも当該合計の修正量がフレーム受信手段がフレームを受信した時点と予め設定された修正後目標区間との差となるまで転送時期の修正を繰り返す動作と、のいずれか一方の動作を選択して行うことが好適である。
【００１７】
この構成によれば、フレームの転送時期の修正において、一度にフレームの転送時期を修正する動作と、予め設定された修正量ずつフレームの転送時期を修正する動作とのいずれか一方を選択して行うので、転送タイミングの修正方法を使い分けることができる。
【００１８】
また本発明の別の態様によれば、一のノードから送られてくるフレームを受信し他のノードに転送するフレーム送受信方法であって、フレームを受信した時点が予め設定された正常受信区間であれば、フレームを他のノードに転送し、フレームを受信した時点が正常受信区間以外の異常受信区間であれば、フレームを破棄し、フレームを受信した時点が正常受信区間内に予め設定されたウィンドウシフト動作区間であれば、正常受信区間を修正するウィンドウシフト動作を行う、フレーム送受信方法が提供される。
【００１９】
この場合、ウィンドウシフト動作においては、フレームを受信した時点が、予め正常受信区間内に設定された修正後目標区間に該当するように正常受信区間を修正することが好適である。
【００２０】
この場合、ウィンドウシフト動作においては、フレームを受信した時点が、修正後目標区間に該当するように正常受信区間を一度に修正する動作と、予め設定された修正量ずつ正常受信区間を修正し、フレームを受信した時点が修正後目標区間に該当するまで正常受信区間の修正を繰り返す動作と、のいずれか一方の動作を選択して行うことが好適である。
【００２１】
また本発明の別の態様によれば、一のノードから送られてくるフレームを受信し他のノードに転送するフレーム送受信方法であって、フレームを受信した時点が予め設定された転送時期修正実施区間であれば、フレームの転送時期を修正する、フレーム送受信方法が提供される。
【００２２】
この場合、フレームの転送時期の修正においては、少なくとも、フレームを受信した時点と予め設定された修正後目標区間との差だけフレームの転送時期を修正することが好適である。
【００２３】
フレームの転送時期の修正においては、少なくとも、フレームを受信した時点と予め設定された修正後目標区間との差だけ一度にフレームの転送時期を修正する動作と、予め設定された修正量ずつフレームの転送時期を修正し、少なくとも当該合計の修正量がフレームを受信した時点と予め設定された修正後目標区間との差となるまで転送時期の修正を繰り返す動作と、のいずれか一方を選択して行うことが好適である。
【発明の効果】
【００２４】
本発明によるフレーム送受信装置およびフレーム送受信方法によれば、受信タイミングの変動に適応することが可能となる。
【発明を実施するための最良の形態】
【００２５】
以下、本発明の実施の形態に係るフレーム送受信装置について添付図面を参照して説明する。各図において、同一要素には同一符号を付し、重複する説明は省略する。
【００２６】
図１は、本発明の第１実施形態に係るフレーム送受信装置を適用した無線通信システムの構成を示す図である。図１に示すように、この無線通信システム１００は、移動局１、無線基地局２〜５、無線ネットワーク制御装置６〜８（フレーム送受信装置）、交換局９〜１０、中継網１１を備えて構成され、各々無線通信システム内におけるノード、及び中継網を形成し、他網と接続されている。
【００２７】
図２は、本発明の第１実施形態に係る無線ネットワーク制御装置の要部のブロック図である。図２に示すように、無線ネットワーク制御装置７の内部において、ダイバーシチハンドオーバトランク（ＤＨＴ）５０を備える。ＤＨＴ５０は、複数の無線基地局３〜５にまたがったハンドオーバ制御を行うとともに、移動局１と通信中の無線基地局３〜５からの上りフレームを受信した時点に基づいて、次フレームに対するフレーム受信可能タイミングと次ノードへの転送タイミングを調節する機能を具備している。
【００２８】
ＤＨＴ５０は、ＤＨＴ全体を制御するＤＨＴ制御部５００、無線基地局３〜５からの上りフレームを受信する上りフレーム受信部５０１（フレーム受信手段）、上りフレーム受信部５０１により受信した上りフレームを転送するタイミングを設定する上り転送制御部５０２（転送制御手段）、上りフレームを合成する上りフレーム合成部５０３、上りフレーム合成部５０３により合成された上りフレームを次ノードに転送する上りフレーム送出部５０４（フレーム送出手段）、上りフレーム受信部５０１によるフレームの受信を制御する上り受信制御部５０５（受信制御手段）から構成される。また、無線ネットワーク制御装置７は、通信制御部５１と、ＣＬＫ供給部５２を備える。通信制御部５１は、ＤＨＴ５０のＤＨＴ制御部５００に対して動作設定を行う。ＣＬＫ供給部５２は上りフレーム受信部５０１と上り転送制御部５０２に対し、処理タイミングのクロックを供給する。ＤＨＴ制御部５００は、上りフレーム受信部５０１、上り転送制御部５０２、上りフレーム合成部５０３、上り受信制御部５０５に対し、動作設定及び動作制御を行う。
【００２９】
図３、図４及び図５は、それぞれ本発明の第１実施形態の上りフレーム受信部５０１、上り受信制御部５０５及び上り転送制御部５０２における処理手順を説明するためのフロー図である。以下、図２、図３、図４及び図５を用いて本実施形態の処理例を説明する。呼受付時（Ｓ１００，Ｓ２００，Ｓ３００）に、通信制御部５１からＤＨＴ制御部５００に、ＤＨＴ５０が動作するための設定情報を通知する。通知される設定情報には、サービス種別、受信ウィンドウの初期設定値、早着側ウィンドウシフト動作区間（転送時期修正実施区間）、遅着側ウィンドウシフト動作区間、シフト動作を起動する際の保護段数、一回の修正量、修正後目標区間、予測遅延量、および無線基地局における移動局から送信される無線フレームの受信タイミングが含まれる。
【００３０】
ＤＨＴ制御部５００は、上り転送制御部５０２、上りフレーム合成部５０３、上りフレーム送出部５０４、上り受信制御部５０５に対し、動作設定及び動作制御を行う。図５に示すように、上り転送制御部５０２には、サービス種別、予測遅延量等が通知される（Ｓ３０１）。上り受信制御部５０５には、サービス種別、受信ウィンドウの初期設定値、早着側ウィンドウシフト動作区間（転送時期修正実施区間）、遅着側ウィンドウシフト動作区間、シフト動作を起動する際の保護段数、一回の修正量、修正後目標区間、予測遅延量、無線基地局における移動局から送信される無線フレームの受信タイミングが通知される（Ｓ２０１）。上り受信制御部５０５は、上りフレーム受信部５０１に対し、受信ウィンドウの初期設定値、遅着側ウィンドウシフト動作区間、早着側ウィンドウシフト動作区間（転送時期修正実施区間）、修正後目標区間、一回の修正量、予測遅延量、無線基地局における移動局から送信される無線フレームの受信タイミングを通知する（Ｓ１０１）。
【００３１】
上り転送制御部５０２は、サービス種別に従って、受信した上りフレームを即時に次ノードに転送する即時転送機能か、あるいは予め設定された予測遅延量により求められるタイミングまでバッファリングした後に次ノードへ向けて転送するバッファリング機能を動作させることを設定される。なお、即時転送機能では、上りフレーム受信時に移動局１と通信中の全ての前記無線基地局３〜５からの上りフレームを受信した時点、または予め設定された予測遅延量により求められるタイミング、のどちらか先に到着した時点で次ノードへ向けて転送する。
【００３２】
上りフレーム受信部５０１は、上り受信制御部５０５より通知される情報を基に、正常受信区間、異常受信区間、遅着側ウィンドウシフト動作区間、早着側ウィンドウシフト動作区間（転送時期修正実施区間）、修正後目標区間を設定する。上りフレーム受信部５０１が前記各区間を設定する方法として、無線基地局３〜５における移動局１から送信される無線フレームの受信タイミングに関する情報とそのタイミングを基点とした前記各区間の相対位置を上り受信制御部５０５より受信し設定する方法、呼受付後に最初に上りフレームを受信したタイミングを基点とした前記各区間の相対位置を上り受信制御部５０５より受信し設定する方法、下りフレーム送信タイミングに下り予測遅延量と上りの予測遅延量を加えたタイミングを基点とした前記各区間の相対位置を上り受信制御部５０５より受信し設定する方法等が挙げられるが、いずれの方法を用いても良い。
【００３３】
図３に示すように、上りフレーム受信部５０１は、上りフレーム受信時に受信したタイミングが正常受信区間であるか、遅着側ウィンドウシフト動作区間であるか、早着側ウィンドウシフト動作区間であるか、異常受信区間であるかを判断する（Ｓ１０２〜Ｓ１０９）。正常受信区間で受信した場合は該当フレームを上り転送制御部５０２へ転送する（Ｓ１０４）。遅着側ウィンドウシフト動作区間で受信した場合は、上り受信制御部５０５へ通知すると共に、該当フレームを上り転送制御部５０２へ転送する（Ｓ１０９）。早着側ウィンドウシフト動作区間で受信した場合は、上り転送制御部５０２及び上り受信制御部５０５へ通知すると共に、該当フレームを上り転送制御部５０２へ転送する（Ｓ１０８）。異常受信区間で受信した場合は、該当フレームを破棄する（Ｓ１０７）。
【００３４】
図４に示すように、上り受信制御部５０５は、上りフレーム受信部５０１より通知を受信したときは（Ｓ２０２，Ｓ２０３）、遅着側ウィンドウシフト動作区間で受信したことを通知された回数が、保護段数として設定された回数と比較して条件を満たした場合には、受信したタイミングが修正後目標区間となるように受信ウィンドウをシフトするよう上りフレーム受信部５０１に通知する（Ｓ２０６，Ｓ２０７）。早着側ウィンドウシフト動作区間で受信したことを通知された回数が、保護段数として設定された回数と比較して条件を満たした場合、受信したタイミングが修正後目標区間となるように受信ウィンドウをシフトするよう上りフレーム受信部５０１に通知する（Ｓ２０４，Ｓ２０５）。また、受信ウィンドウをシフトするよう通知する契機として、遅延量や早着した量が設定された量と比較して条件を満たした場合としてもよい。図３に示すように、上り受信制御部５０５よりシフト動作指示を受信した上りフレーム受信部５０１は、シフト動作を実施する（Ｓ１１０，Ｓ１１１）。受信ウィンドウをシフトさせる場合には、一度に変化させることもでき、また一度に変化させるのではなく設定された一回の修正量ずつ徐々に変化させることもできる。
【００３５】
図５に示すように、上り転送制御部５０２は、バッファリング機能を動作させるサービス種別であれば（Ｓ３０２）、早着側ウィンドウシフト動作区間（転送時期修正実施区間）で受信したことを通知された回数が、保護段数として設定された回数と比較して条件を満たした場合（Ｓ３０３，Ｓ３０４）、上りフレーム受信部５０１が受信ウィンドウをシフトした量と同じ量だけ上位への転送タイミングを変化させる（Ｓ３０５）。転送タイミングを変化させる場合には、一度に変化させることもでき、また一度に変化させるのではなく設定された一回の修正量ずつ徐々に変化させることもできる。また、上位への転送タイミングを変化させる契機として、早着した量が設定された量と比較して条件を満たした場合としてもよい。
【００３６】
図６は、遅着側ウィンドウシフト動作区間で受信した回数が、保護段数として設定された回数と比較して条件を満たした場合の動作例を示している。図６に示すように、無線基地局３〜５から送出されたフレームを、上りフレーム受信部５０１が遅着側ウィンドウシフト動作区間で受信した結果、ウィンドウシフト動作条件を満たした場合、当該受信タイミングが修正後目標区間となるように受信ウィンドウを一度にシフトさせている。
【００３７】
図７は、サービス種別が上り転送制御部５０２に即時転送機能を動作させるものである場合に、早着側ウィンドウシフト動作区間で受信した回数が、保護段数として設定された回数と比較して条件を満たした場合の動作例を示している。図７に示すように、無線基地局３〜５から送出されたフレームを、上りフレーム受信部５０１が早着側ウィンドウシフト動作区間で受信した結果、ウィンドウシフト動作条件を満たした場合、当該受信タイミングが修正後目標区間となるように受信ウィンドウを一度にシフトさせている。
【００３８】
図８は、サービス種別が上り転送制御部５０２にバッファリング機能を動作させるものである場合に、早着側ウィンドウシフト動作区間（転送時期修正実施区間）で受信した回数が、保護段数として設定された回数と比較して条件を満たした場合の動作例を示している。図８に示すように、無線基地局３〜５から送出されたフレームを、上りフレーム受信部５０１が早着側ウィンドウシフト動作区間で受信した結果、ウィンドウシフト動作条件を満たした場合、当該受信タイミングが修正後目標区間となるように受信ウィンドウをシフトさせるとともに、上り転送制御部５０２が、上りフレーム受信部５０１が受信ウィンドウをシフトした量と同じ量だけ、上位への転送タイミングを変化させる。受信ウィンドウや転送タイミングを変化させる場合には、一度に変化させるのではなく設定された一回の修正量ずつ徐々に変化させる。
【００３９】
本発明は、上記実施の形態に限定されるものではなく種々の変更が可能である。本発明の第２実施形態の構成例に関して図９を参照し説明する。図９は、本発明の第２実施形態に係る無線通信システムの構成を示す図である。図９に示すように、本実施形態の無線通信システム２００は、移動局１，１２、無線基地局２〜４、無線ネットワーク制御装置６，７、交換局９，１０、中継網１１、内線送受信サーバ１９，２０を備えて構成され、各々無線通信システム内におけるノード及び中継網を形成している。
【００４０】
本実施形態において移動局１と移動局１２の間で通信を行う際の情報伝送経路を説明する。移動局１２が無線基地局３配下に在圏し、移動局１が無線基地局４配下に在圏している場合、交換局９，１０及び無線ネットワーク制御装置６，７による制御に従って、無線基地局３と無線基地局４との間に、内線送受信サーバ１９、内線送受信サーバ２０を経由した伝送路が設定される。移動局１２と移動局１の間でやり取りされるデータは前記伝送路を用いて転送される。
【００４１】
本実施形態においては、図２のブロック図におけるＤＨＴ５０、通信制御部５１、ＣＬＫ供給部５２が内線送受信サーバ１９，２０に設置され、一方の内線送受信サーバにおいて、配下無線基地局よりフレームを受信し他方の内線送受信サーバに転送する際に、上記第１実施形態と同様に本発明が適用される。
【００４２】
尚、本発明のフレーム送受信装置およびフレーム送受信方法は、上記した実施の形態に限定されるものではなく、本発明の要旨を逸脱しない範囲内において種々変更を加え得ることは勿論である。
【図面の簡単な説明】
【００４３】
【図１】本発明の第１実施形態に係るフレーム送受信装置を適用した無線通信システムの構成を示す図である。
【図２】本発明の第１実施形態に係る無線ネットワーク制御装置の要部のブロック図である。
【図３】本発明の第１実施形態に係る上りフレーム受信部における処理手順を示すフロー図である。
【図４】本発明の第１実施形態に係る上り受信制御部における処理手順を示すフロー図である。
【図５】本発明の第１実施形態に係る上り転送制御部における処理手順を示すフロー図である。
【図６】遅着側ウィンドウシフト動作区間で受信した回数が、保護段数として設定された回数と比較して条件を満たした場合の動作例を示す図である。
【図７】早着側ウィンドウシフト動作区間で受信した回数が、保護段数として設定された回数と比較して条件を満たした場合の動作例を示す図である。
【図８】サービス種別が上り転送制御部にバッファリング機能を動作させるものである場合に、早着側ウィンドウシフト動作区間で受信した回数が、保護段数として設定された回数と比較して条件を満たした場合の動作例を示す図である。
【図９】本発明の第２実施形態に係る無線通信システムの構成を示す図である。
【符号の説明】
【００４４】
１…移動局、２，３，４，５…無線基地局、６，７，８…無線ネットワーク制御装置、９，１０…交換局、１１…中継網、１２…移動局、１９，２０…内線送受信サーバ、５０…ＤＨＴ、５１…通信制御部、５２…ＣＬＫ供給部、１００，２００…無線通信システム、５０１…上りフレーム受信部、５０２…上り転送制御部、５０３…上りフレーム合成部、５０４…上りフレーム送出部、５０５…上り受信制御部
【図１】
2006303624.tif 000003
【図２】
2006303624.tif 000004
【図３】
2006303624.tif 000005
【図４】
2006303624.tif 000006
【図５】
2006303624.tif 000007
【図６】
2006303624.tif 000008
【図７】
2006303624.tif 000009
【図８】
2006303624.tif 000010
【図９】
2006303624.tif 000011